(57)【特許請求の範囲】
【請求項１】
サービス制御点をバイパスして、１つまたは複数の携帯電話に関連付けられた１つまたは複数のフリーダイヤル番号に対して１つまたは複数の通信装置の１人または複数のユーザがかけた１つまたは複数のフリーダイヤル通話を、前記１つまたは複数の携帯電話に接続する１つまたは複数の制御コンポーネントを含み、
前記１つまたは複数の携帯電話に関連付けられた前記１つまたは複数のフリーダイヤル番号に対して前記１つまたは複数の通信装置の前記１人または複数のユーザがかけた前記１つまたは複数のフリーダイヤル通話が、１つの携帯電話に関連付けられた１つのフリーダイヤル番号に対して１つの通信装置のユーザがかけた１つのフリーダイヤル通話を含み、
前記１つまたは複数の制御コンポーネントが前記フリーダイヤル通話を前記携帯電話へ送り、
前記１つまたは複数の制御コンポーネントが第１の制御コンポーネントと第２の制御コンポーネントとを含み、
前記携帯電話が前記フリーダイヤル番号と１つの標準電話番号に関連付けられ、
前記第２の制御コンポーネントが、前記フリーダイヤル通話の課金記録を、前記標準電話番号に関連付けられた１つまたは複数の課金記録に追加し、
前記第２の制御コンポーネントが、前記携帯電話の所有者につき、前記フリーダイヤル通話の課金記録と前記標準電話番号に関連付けられた前記１つまたは複数の課金記録とを統合する、装置。
【請求項２】
前記１つの通信装置が電話装置を含み、
前記第１の制御コンポーネントが移動交換局または公衆交換電話網の通話状態制御機能を含み、
前記移動交換局または前記公衆交換電話網の前記通話状態制御機能が、前記フリーダイヤル番号を、データベース・コンポーネントに格納されている１つまたは複数の電話番号と比較し、
前記フリーダイヤル番号が前記データベースにある前記１つまたは複数の電話番号のうちの１つまたは複数と一致した場合には、前記移動交換局または前記公衆交換電話網の前記通話状態制御機能が前記フリーダイヤル通話を前記第２の制御コンポーネントに渡して、前記１つまたは複数の携帯電話に関連付けられていない、１つまたは複数の他のフリーダイヤル通話の１つまたは複数の他のフリーダイヤル番号を１つまたは複数の標準電話番号に変換するサービス制御点コンポーネントをバイパスする、請求項１に記載の装置。
【請求項３】
前記携帯電話が第１の携帯電話を含み、前記通信装置が第２の携帯電話を含み、
前記第１の制御コンポーネントが移動交換局または公衆陸上移動網の通話状態制御機能を含み、
前記移動交換局または前記公衆陸上移動網の前記通話状態制御機能が、前記フリーダイヤル番号を、データベース・コンポーネントに格納されている１つまたは複数の電話番号と比較し、
前記フリーダイヤル番号が前記データベースにある前記１つまたは複数の電話番号のうちの１つまたは複数と一致した場合には、前記移動交換局または前記公衆陸上移動網の前記通話状態制御機能が前記フリーダイヤル通話を前記第２の制御コンポーネントに渡して、前記１つまたは複数の携帯電話に関連付けられていない、１つまたは複数の他のフリーダイヤル通話の１つまたは複数の他のフリーダイヤル番号を１つまたは複数の標準電話番号に変換するサービス制御点コンポーネントをバイパスする、請求項１に記載の装置。
【請求項４】
前記通信装置の前記ユーザがかけた前記フリーダイヤル通話を前記第１の制御コンポーネントが前記第２の制御コンポーネントに渡し、
前記第２の制御コンポーネントが、前記携帯電話の位置の割り出しを行うために、前記フリーダイヤル番号に関連付けられたエントリをホーム・ロケーション・レジスタ・コンポーネントで検索し、
前記第２の制御コンポーネントが、前記位置において、前記フリーダイヤル番号に関連付けられた前記携帯電話に前記フリーダイヤル通話を接続する、請求項１に記載の装置。
【請求項５】
前記通信装置の前記ユーザがかけた前記フリーダイヤル通話を前記第１の制御コンポーネントが前記第２の制御コンポーネントに渡し、
前記第２の制御コンポーネントが、前記フリーダイヤル番号を用いて、前記携帯電話に関連付けられた前記標準電話番号の割り出しを行い、前記第２の制御コンポーネントが、前記標準電話番号を用いて、前記携帯電話の位置の割り出しを行い、
前記第２の制御コンポーネントが、前記携帯電話の位置の割り出しを行うために、前記標準電話番号に関連付けられたエントリをホーム・ロケーション・レジスタ・コンポーネントで検索し、
前記第２の制御コンポーネントが、前記位置において、前記フリーダイヤル番号に関連付けられた前記携帯電話に前記フリーダイヤル通話を接続する、請求項１に記載の装置。
【請求項６】
前記通信装置の前記ユーザが前記フリーダイヤル番号に対してかけた前記フリーダイヤル通話のインジケータを前記第１の制御コンポーネントが前記携帯電話に送り、
前記携帯電話のユーザが、前記インジケータを用いて、前記フリーダイヤル通話を標準電話通話と区別する、請求項１に記載の装置。
【請求項７】
前記第１及び第２の制御コンポーネントは、通話状態制御機能（ＣＳＣＦ）コンポネントまたは移動交換局（ＭＳＣ）を含む、請求項１に記載の装置。
【請求項８】
１つまたは複数のフリーダイヤル番号に対する１つまたは複数の通信装置からの１つまたは複数のフリーダイヤル通話において、１つまたは複数のサービス制御点コンポーネントをバイパスする工程と、
前記１つまたは複数のフリーダイヤル通話を、前記１つまたは複数のフリーダイヤル番号に関連付けられた１つまたは複数の携帯電話に接続する工程とを含み、
前記１つまたは複数のフリーダイヤル番号に対する前記１つまたは複数の通信装置からの前記１つまたは複数のフリーダイヤル通話が、１つのフリーダイヤル番号に対する１つの通信装置からの１つのフリーダイヤル通話を含み、前記１つまたは複数の携帯電話が１つの携帯電話を含み、前記１つまたは複数のサービス制御点コンポーネントが１つのサービス制御点コンポーネントを含み、前記携帯電話が前記フリーダイヤル番号と１つの標準電話番号に関連付けられ、さらに、
前記フリーダイヤル番号に関連付けられた前記フリーダイヤル通話の課金記録を集計する工程と、
前記フリーダイヤル通話の課金記録を、前記標準電話番号に関連付けられた１つまたは複数の標準電話通話の１つまたは複数の課金記録と統合する工程とを含む、方法。
【請求項９】
前記フリーダイヤル番号に対する前記通信装置からの前記フリーダイヤル通話において前記サービス制御点をバイパスする前記工程が、
前記フリーダイヤル番号への前記フリーダイヤル通話を前記通信装置から受け取る工程と、
前記フリーダイヤル番号を、データベース・コンポーネントに格納されている１つまたは複数の電話番号のうちの電話番号と照合する工程と、
前記フリーダイヤル番号を用いて、前記携帯電話に関連付けられた前記標準電話番号の割り出しを行う工程と、
前記標準電話番号または前記フリーダイヤル番号を用いてホーム・ロケーション・レジスタ・コンポーネントで検索を行って、前記携帯電話の位置の割り出しを行う工程と、
前記位置において、前記フリーダイヤル通話を前記携帯電話に接続する工程とを含む、請求項８に記載の方法。
【請求項１０】
前記フリーダイヤル番号に関連付けられた前記携帯電話に前記フリーダイヤル通話を接続する前記工程が、
前記通信装置と前記携帯電話とを前記フリーダイヤル通話で接続する工程と、
前記通信装置の所有者に対して前記フリーダイヤル通話の課金を行わないようにする工程と、
前記携帯電話の所有者に対して前記フリーダイヤル通話の課金を行う工程とを含む、請求項８に記載の方法。
【発明の詳細な説明】
【技術分野】
【０００１】
本発明は、主に電気通信に関し、より詳細には、フリーダイヤル通話に関する。
【背景技術】
【０００２】
発呼側の通信装置のユーザは、被呼側の通信装置のユーザへのフリーダイヤル通話を申し込むために、フリーダイヤル番号をダイヤルする。たとえば、フリーダイヤル番号は、被呼側の通信装置に関連付けられている。一例では、被呼側の通信装置は、有線電話を含む。公衆交換電話網（「ＰＳＴＮ」）の制御コンポーネントが、フリーダイヤル通話を、被呼側の通信装置に接続することにより、発呼側の通信装置のユーザと被呼側の通信装置のユーザとを、互いに通信できるように接続する。ＰＳＴＮの制御コンポーネントが、一例では、フリーダイヤル通話に基づく課金記録を蓄積する。発呼側の通信装置のユーザではなくフリーダイヤル番号の所有者（たとえば、被呼側の通信装置の所有者）が、フリーダイヤル通話の課金記録に基づく料金を支払う責任がある。
【０００３】
別の例では、被呼側の通信装置は、携帯電話を含む。携帯電話網の制御コンポーネントは、有料通話を携帯電話に接続して、発呼側の通信装置のユーザと携帯電話のユーザとを、互いに通信できるように接続する。携帯電話網の制御コンポーネントが、一例では、携帯電話の所有者に対して有料通話の課金記録を蓄積する。発呼側の通信装置の通信網の制御コンポーネントが、一例では、発呼側の通信装置の所有者に対して有料通話の課金記録を蓄積する。たとえば、発呼側の通信装置の所有者は、携帯電話への発呼に基づく料金を支払う責任がある。
【０００４】
これらのネットワーク設備の１つの欠点として、フリーダイヤル番号を携帯電話に関連付けることができない。たとえば、被呼側の通信装置が携帯電話を含む場合、制御コンポーネントは、携帯電話へのフリーダイヤル通話として、その携帯電話のユーザを発呼側通信装置のユーザに接続することができない。別の欠点として、制御コンポーネントは、携帯電話の所有者に対してフリーダイヤル通話の課金記録を蓄積することができない。
したがって、フリーダイヤル番号に関連付けられた携帯電話にフリーダイヤル通話を接続する制御機能が必要である。
【発明の開示】
【課題を解決するための手段】
【０００５】
本発明は、一実施態様において、装置を包含する。この装置は、１つまたは複数の携帯電話に関連付けられた１つまたは複数のフリーダイヤル番号に対して１つまたは複数の通信装置の１人または複数のユーザが申し込んだ１つまたは複数のフリーダイヤル通話を１つまたは複数の携帯電話に接続する１つまたは複数の制御コンポーネントを含む。
【０００６】
本発明の別の実施態様は、方法を包含する。１つまたは複数のサービス制御点コンポーネントが、１つまたは複数の通信装置から１つまたは複数のフリーダイヤル番号への１つまたは複数のフリーダイヤル通話によってバイパスされる。その１つまたは複数のフリーダイヤル通話は、その１つまたは複数のフリーダイヤル番号に関連付けられた１つまたは複数の携帯電話に接続される。
【０００７】
本発明のさらなる別の実施態様は、物品を包含する。この物品は、１つまたは複数の、コンピュータ可読信号を収容する媒体を含む。この物品は、その１つまたは複数の媒体内に、１つまたは複数の通信装置から１つまたは複数のフリーダイヤル番号への１つまたは複数のフリーダイヤル通話により１つまたは複数のサービス制御点コンポーネントをバイパスする手段を含む。この物品は、その１つまたは複数の媒体内に、１つまたは複数のフリーダイヤル番号に関連付けられた１つまたは複数の携帯電話に１つまたは複数のフリーダイヤル通話を接続する手段を含む。
【０００８】
本発明の例示的な実施態様の特徴は、明細、請求項、および添付図面から明らかになるであろう。
【発明を実施するための最良の形態】
【０００９】
図１の装置１００は、一例では、コンピュータのソフトウェア・コンポーネントおよび／またはハードウェア・コンポーネントなど、複数のコンポーネントを含む。装置１００内では、複数のそのようなコンポーネントを組み合わせたり分割したりできる。装置１００の例示的なコンポーネントは、任意の複数のプログラミング言語で書かれたか、実装された一組および／または一連のコンピュータ命令を用いるか、含むが、このことは当業者であれば理解されよう。
【００１０】
装置１００は、一例では、１つまたは複数の通信装置１０２、１つまたは複数のネットワーク・コンポーネント１０６、１０８、および１１０、１つまたは複数の制御コンポーネント（たとえば、１つまたは複数の通話状態制御機能（「ＣＳＣＦ」）コンポーネント１０７および１つまたは複数の移動交換局（「ＷＳＣ」）コンポーネント１０９）、１つまたは複数のサービス制御点（「ＳＣＰ」）コンポーネント１１２、１つまたは複数のホーム・ロケーション・レジスタ（「ＨＬＲ」）コンポーネント１１４、および１つまたは複数の携帯電話１１６を含む。携帯電話１１６は、一例では、あるフリーダイヤル番号に関連付けられる。たとえば、ホーム・ロケーション・レジスタ・コンポーネント１１４は、一例では、１つまたは複数のフリーダイヤル番号に関連付けられた１つまたは複数の携帯電話のリストを格納する。ユーザ１０４が、一例では、通信装置１０２を用いて、そのフリーダイヤル番号にフリーダイヤル通話を申し込む。ネットワーク・コンポーネント１０６またはネットワーク・コンポーネント１０８が、そのフリーダイヤル通話を受け取る。次にネットワーク・コンポーネント１０６またはネットワーク・コンポーネント１０８は、一例では、そのフリーダイヤル通話をネットワーク・コンポーネント１１０に渡すことによって、サービス制御点コンポーネント１１２をバイパスする。ネットワーク・コンポーネント１１０は、通信装置１０２のユーザ１０４と携帯電話１１６のユーザ１１８とをそのフリーダイヤル通話で接続する。
【００１１】
ユーザ１０４は、通信装置１０２を用いて、標準電話通話またはフリーダイヤル通話の通信を行うことができる。一例では、ユーザ１０４は、通信装置１０２を使用して標準電話番号をダイヤルする。たとえば、標準電話番号は、エリア・コードと７桁のローカル・コードを含む。別の例では、ユーザ１０４は、通信装置１０２を使用してフリーダイヤル番号をダイヤルする。たとえば、フリーダイヤル番号は、８００番または８６６番を含む。そのフリーダイヤル番号が、一例では、携帯電話１１６に関連付けられる。通信装置１０２は、一例では、記録可能データ格納媒体１２０のインスタンスを含む。一例では、通信装置１０２は、有線電話装置、携帯電話、携帯情報端末、およびコンピュータのうちの１つまたは複数を含む。たとえば、通信装置１０２は、ユーザ端末（「ＵＥ」）を含む。
通信装置１０２が有線電話装置を含む場合、ユーザ１０４は、一例では、通信装置１０２でフリーダイヤル番号をダイヤルして、フリーダイヤル通話をネットワーク・コンポーネント１０６に送る。ネットワーク・コンポーネント１０６は、一例では、記録可能データ格納媒体１２０のインスタンスを含む。一例では、ネットワーク・コンポーネント１０６は、公衆交換電話網（「ＰＳＴＮ」）を含む。ネットワーク・コンポーネント１０６は、スイッチ・コンポーネント１１１を含む。
【００１２】
ネットワーク・コンポーネント１０６がフリーダイヤル通話を受け取ると、スイッチ・コンポーネント１１１が、一例では、携帯電話１１６との接続を求めるフリーダイヤル通話のフリーダイヤル番号をサービス制御点コンポーネント１１２に照会する。サービス制御点コンポーネント１１２は、一例では、記録可能データ格納媒体１２０のインスタンスを含む。スイッチ・コンポーネント１１１は、フリーダイヤル通話のフリーダイヤル番号を解析して、そのフリーダイヤル番号と携帯電話１１６または有線電話装置との関連を割り出す。たとえば、スイッチ・コンポーネント１１１は、そのフリーダイヤル番号を、ネットワーク・コンポーネント１０６のデータベースにある１つまたは複数の電話番号と比較して、携帯電話１１６または有線電話装置との関連を割り出す。
【００１３】
一例では、フリーダイヤル番号が携帯電話１１６に関連付けられている場合、スイッチ・コンポーネント１１１は、サービス制御点コンポーネント１１２をバイパスして、フリーダイヤル通話をネットワーク・コンポーネント１１０に送る。たとえば、携帯電話１１６がそのフリーダイヤル番号と標準電話番号に関連付けられている場合、ネットワーク・コンポーネント１０６は、サービス制御点コンポーネント１１２をバイパスする。これは、サービス制御点コンポーネント１１２が携帯電話１１６のフリーダイヤル番号を携帯電話１１６の標準電話番号に変換できないためである。別の例では、フリーダイヤル番号が有線電話装置に関連付けられている場合、スイッチ・コンポーネント１１１は、フリーダイヤル通話のフリーダイヤル番号をサービス制御点コンポーネント１１２に照会する。たとえば、有線電話装置がそのフリーダイヤル番号と標準電話番号に関連付けられている場合、サービス制御点コンポーネント１１２は、そのフリーダイヤル番号について、有線電話装置の標準電話番号との関連を割り出す。
【００１４】
フリーダイヤル番号が有線電話装置に関連付けられている場合、スイッチ・コンポーネント１１１は、フリーダイヤル通話を公衆電話網（たとえば、公衆交換電話網）に送る。公衆交換電話網は、一例では、標準電話番号を用いて、その有線電話装置に対してフリーダイヤル通話の課金記録を開始する。たとえば、その有線電話装置のユーザが、その課金記録に基づいてフリーダイヤル通話の料金を支払う。公衆交換電話網は、通信装置１０２と有線電話装置とを、標準電話番号を用いたフリーダイヤル通話で接続する。
【００１５】
通信装置１０２が携帯装置を含む場合、ユーザ１０４は、一例では、通信装置１０２でフリーダイヤル番号をダイヤルして、フリーダイヤル通話をネットワーク・コンポーネント１０８に送る。ネットワーク・コンポーネント１０８は、一例では、記録可能データ格納媒体１２０のインスタンスを含む。ネットワーク・コンポーネント１０８は、一例では、公衆陸上移動網（「ＰＬＭＮ」）を含む。公衆陸上移動網は、一例では、通話状態制御機能コンポーネント１０７および移動交換局１０９のうちの１つまたは複数を含む。
【００１６】
ネットワーク・コンポーネント１０８がフリーダイヤル通話を受け取ると、一例では、通話状態制御機能コンポーネント１０７および移動交換局１０９のうちの１つまたは複数が、ネットワーク・コンポーネント１１０の１つまたは複数にフリーダイヤル通話を渡す。通話状態制御機能コンポーネント１０７および／または移動交換局１０９は、そのフリーダイヤル通話のフリーダイヤル番号を解析して、そのフリーダイヤル番号と携帯電話１１６との関連を割り出す。たとえば、通話状態制御機能コンポーネント１０７および／または移動交換局１０９は、そのフリーダイヤル番号を、ネットワーク・コンポーネント１０８のデータベースにある１つまたは複数の電話番号と比較して、そのフリーダイヤル番号と携帯電話１１６との関連を割り出す。
【００１７】
一例では、フリーダイヤル番号が携帯電話１１６に関連付けられている場合、通話状態制御機能コンポーネント１０７および移動交換局１０９のうちの１つまたは複数が、サービス制御点コンポーネント１１２をバイパスして、フリーダイヤル通話をネットワーク・コンポーネント１１０に送る。たとえば、通話状態制御機能コンポーネント１０７および／または移動交換局１０９がサービス制御点コンポーネント１１２をバイパスするのは、サービス制御点コンポーネント１１２が携帯電話１１６のフリーダイヤル番号を携帯電話１１６の標準電話番号に変換できないためである。別の例では、フリーダイヤル番号が有線電話装置に関連付けられている場合、通話状態制御機能コンポーネント１０７および／または移動交換局１０９は、フリーダイヤル通話のフリーダイヤル番号をサービス制御点コンポーネント１１２に照会する。たとえば、サービス制御点コンポーネント１１２は、そのフリーダイヤル番号について、有線電話装置の標準電話番号との関連を割り出す。
【００１８】
フリーダイヤル番号が携帯電話１１６に関連付けられている場合、一例では、ネットワーク・コンポーネント１１０が、通信装置１０２のユーザ１０４と携帯電話１１６のユーザ１１８とをフリーダイヤル通話で接続する。ネットワーク・コンポーネント１１０は、一例では、記録可能データ格納媒体１２０のインスタンスを含む。ネットワーク・コンポーネント１１０は、一例では、構内通信網を含む。たとえば、無線通信会社がネットワーク・コンポーネント１１０を所有する。
【００１９】
ネットワーク・コンポーネント１１０がフリーダイヤル通話を受け取ると、ネットワーク・コンポーネント１１０の通話状態制御機能コンポーネント１０７および移動交換局１０９のうちの１つまたは複数が、携帯電話１１６の位置をホーム・ロケーション・レジスタ・コンポーネント１１４に照会する。携帯電話１１６は、一例では、フリーダイヤル番号および標準電話番号のうちの１つまたは複数に関連付けられる。標準電話番号は、一例では、Ｅ．１６４ディレクトリ番号（「ＤＮ」）を含む。ネットワーク・コンポーネント１１０の通話状態制御機能コンポーネント１０７および／または移動交換局１０９は、一例では、フリーダイヤル通話のフリーダイヤル番号を解析して、携帯電話１１６に関連付けられた標準電話番号を割り出す。たとえば、ネットワーク・コンポーネント１１０の通話状態制御機能コンポーネント１０７および移動交換局１０９のうちの１つまたは複数が、そのフリーダイヤル番号を、ネットワーク・コンポーネント１１０のデータベースにある１つまたは複数の電話番号と比較して、携帯電話１１６の標準電話番号を割り出す。
【００２０】
ネットワーク・コンポーネント１１０の通話状態制御機能コンポーネント１０７および移動交換局１０９のうちの１つまたは複数が、フリーダイヤル番号および標準電話番号のうちの１つまたは複数をホーム・ロケーション・レジスタ・コンポーネント１１４に渡す。ホーム・ロケーション・レジスタ・コンポーネント１１４は、一例では、記録可能データ格納媒体１２０のインスタンスを含む。ホーム・ロケーション・レジスタ・コンポーネント１１４は、携帯電話１１６の位置を割り出す。一例では、ネットワーク・コンポーネント１１０は、ホーム・ロケーション・レジスタ・コンポーネント１１４で、フリーダイヤル番号に関連付けられたエントリを検索して、携帯電話１１６の位置を割り出す。別の例では、ネットワーク・コンポーネント１１０は、ホーム・ロケーション・レジスタ・コンポーネント１１４で、標準電話番号に関連付けられたエントリを検索して、携帯電話１１６の位置を割り出す。
【００２１】
ネットワーク・コンポーネント１１０は、通信装置１０２のユーザ１０４と携帯電話１１６のユーザ１１８とを、携帯電話１１６の位置においてフリーダイヤル通話で接続する。携帯電話１１６は、一例では、記録可能データ格納媒体１２０のインスタンスを含む。ネットワーク・コンポーネント１１０は、一例では、着信通話がフリーダイヤル番号を用いて申し込まれていることをユーザ１１８に知らせるために、フリーダイヤル番号のインジケータを携帯電話１１６に送る。このインジケータは、一例では、ダイヤルされた番号の表示、アイコン、トーン、およびライト（図示せず）のうちの１つまたは複数を含むが、このことは当業者であれば理解されよう。
【００２２】
ネットワーク・コンポーネント１１０は、一例では、フリーダイヤル通話の課金記録を蓄積する。課金記録は、一例では、通話時間、通話開始時刻、通話終了時刻、発呼者番号、および通話料金のうちの１つまたは複数を含む。ネットワーク・コンポーネント１０６および１０８のうちの１つまたは複数は、一例では、通信装置１０２のユーザ１０４に対する課金記録を含むが、ユーザ１０４は、フリーダイヤル通話については料金を支払わない。たとえば、通話料金は、ユーザ１０４については０円である。携帯電話１１６のユーザ１１８は、一例では、携帯電話１１６の所有者を含む。たとえば、携帯電話１１６の所有者は、課金記録に基づく料金を支払う責任がある。
【００２３】
一例では、携帯電話１１６がフリーダイヤル番号にのみ関連付けられている場合、ネットワーク・コンポーネント１１０は、携帯電話１１６のユーザ１１８に対してフリーダイヤル通話の課金記録を蓄積する。別の例では、携帯電話１１６がフリーダイヤル番号と標準電話番号に関連付けられている場合、ネットワーク・コンポーネント１１０は、フリーダイヤル通話の課金記録を、標準電話番号の１つまたは複数の課金記録に加算する。たとえば、ネットワーク・コンポーネント１１０は、フリーダイヤル通話の課金記録と標準電話通話の課金記録とを連結して、携帯電話１１６のユーザ１１８に対する１つまたは複数の連結課金記録にする。さらに別の例では、１つまたは複数の外部課金センターが、フリーダイヤル通話の課金記録を標準電話番号の１つまたは複数の課金記録に加算して、１つまたは複数の連結課金記録にする。ネットワーク・コンポーネント１１０は、一例では、課金記録および連結課金記録に基づく請求書を作成するために、その課金記録および連結課金記録を１つまたは複数の外部課金センターに渡す。
【００２４】
図１および２により、装置１００の例示的な動作を説明する（これらの図は説明を目的としたものである）。メッセージ・フロー２０２は、ネットワーク・コンポーネント１０６、１０８、および１１０による、フリーダイヤル通話の、携帯電話１１６への例示的な接続を表す。メッセージ・フロー２０２では、携帯電話１１６は、フリーダイヤル番号と標準電話番号に関連付けられている。ネットワーク・コンポーネント１０６または１０８は、通信装置１０２から申し込まれた通話をネットワーク・コンポーネント１１０に接続する。たとえば、ネットワーク・コンポーネント１０６または１０８は、サービス制御点コンポーネント１１２をバイパスする。ネットワーク・コンポーネント１１０は、ホーム・ロケーション・レジスタ・コンポーネント１１４を用いて、携帯電話１１６の位置を割り出す。ネットワーク・コンポーネント１１０は、通信装置１０２のユーザ１０４と携帯電話１１６のユーザ１１８とをフリーダイヤル通話で接続する。
【００２５】
ユーザ１０４は、通信装置１０２を用いて、携帯電話１１６に関連付けられたフリーダイヤル番号にフリーダイヤル通話２０４を申し込む。通信装置１０２は、フリーダイヤル通話２０４をネットワーク・コンポーネント１０６または１０８に渡す。一例では「通話が着信」が、フリーダイヤル通話２０４を表す。ネットワーク・コンポーネント１０６または１０８は、フリーダイヤル通話２０４を受け取ると、一例では、そのフリーダイヤル番号を、ネットワーク・コンポーネント１０６または１０８の内部データベースにある１つまたは複数の番号と比較する。ネットワーク・コンポーネント１０６または１０８は、そのフリーダイヤル番号と携帯電話１１６との関連を割り出す。次にネットワーク・コンポーネント１０６または１０８は、フリーダイヤル通話２０４をバイパス・メッセージ２０６に入れてネットワーク・コンポーネント１１０に送り、サービス制御点コンポーネント１１２をバイパスする。一例では「ＳＣＰをバイパス」が、バイパス・メッセージ２０６を表す。ネットワーク・コンポーネント１０６または１０８は、そのフリーダイヤル番号が携帯電話１１６に関連付けられていることを割り出した場合には、サービス制御点コンポーネント１１２をバイパスし、フリーダイヤル通話２０４をバイパス・メッセージ２０６に入れてネットワーク・コンポーネント１１０に渡す。
【００２６】
ネットワーク・コンポーネント１１０がフリーダイヤル通話２０４を受け取ると、ネットワーク・コンポーネント１１０はそのフリーダイヤル番号でネットワーク・コンポーネント１１０の内部データベースを検索して、携帯電話１１６に関連付けられた標準電話番号２０８を割り出す。一例では「番号解析およびデータベース検索」が、標準電話番号２０８の割り出しを表す。ネットワーク・コンポーネント１１０は、標準電話番号２０８を割り出すと、その標準電話番号２０８を位置確定メッセージ２１０に入れてホーム・ロケーション・レジスタ・コンポーネント１１４に渡す。ホーム・ロケーション・レジスタ・コンポーネント１１４は、携帯電話１１６の位置を割り出す。一例では「標準番号によるフリーダイヤル通話」が、位置確定メッセージ２１０を表す。たとえば、ネットワーク・コンポーネント１１０が、ホーム・ロケーション・レジスタ・コンポーネント１１４を検索して位置を割り出す。
【００２７】
位置が確定すると、ホーム・ロケーション・レジスタ・コンポーネント１１４は、位置を返すメッセージ２１１をネットワーク・コンポーネント１１０に送る。一例では「位置を返す」が、位置を返すメッセージ２１１を表す。ネットワーク・コンポーネント１１０は、位置を返すメッセージ２１１を受け取ると、位置を返すメッセージ２１１にある携帯電話１１６の位置情報を用いて、通信装置１０２と携帯電話１１６の間の接続２１２を生成する。ネットワーク・コンポーネント１１０は、この接続２１２を用いて、フリーダイヤル通話２０４を配信する。一例では「通話を終了」が、通信装置１０２と携帯電話１１６との接続２１２を表す。たとえば、接続２１２により、通信装置１０２のユーザ１０４は携帯電話１１６のユーザ１１８とフリーダイヤル通話２０４で通信できる。
【００２８】
ネットワーク・コンポーネント１１０は、一例では、フリーダイヤル通話２０４の課金記録２１４を蓄積する。たとえば、携帯電話１１６のユーザ１１８は、課金記録２１４に基づく料金を支払う。一例では「課金中」が、課金記録２１４を表す。ネットワーク・コンポーネント１１０は、一例では、（たとえば、フリーダイヤル番号への）フリーダイヤル通話２０４の課金記録２１４を、携帯電話１１６の（たとえば、標準電話番号への）１つまたは複数の標準電話通話の１つまたは複数の課金記録に加算する。たとえば、ネットワーク・コンポーネント１１０は、携帯電話１１６のユーザ１１８について、フリーダイヤル通話２０４の課金記録２１４を標準電話通話の課金記録と連結する。
【００２９】
図１および３により、装置１００の例示的な動作を説明する（これらの図は説明を目的としたものである）。メッセージ・フロー３０２は、ネットワーク・コンポーネント１０６、１０８、および１１０による、フリーダイヤル通話の、携帯電話１１６への例示的な接続を表す。メッセージ・フロー３０２では、携帯電話１１６は、フリーダイヤル番号にのみ関連付けられている。通信装置１０２は、携帯電話１１６のフリーダイヤル番号で、フリーダイヤル通話２０４をネットワーク・コンポーネント１０６または１０８に渡す。ネットワーク・コンポーネント１０６または１０８は、フリーダイヤル通話２０４を受け取ると、メッセージ・フロー２０２に示すように、サービス制御点コンポーネント１１２をバイパスして、フリーダイヤル通話２０４をネットワーク・コンポーネント１１０に送る。
【００３０】
ネットワーク・コンポーネント１１０は、フリーダイヤル番号によるフリーダイヤル通話２０４を位置確定メッセージ３０８に入れてホーム・ロケーション・レジスタ・コンポーネント１１４に渡す。一例では「フリーダイヤル番号によるフリーダイヤル通話」が、位置確定メッセージ３０８を表す。たとえば、ネットワーク・コンポーネント１１０が、ホーム・ロケーション・レジスタ・コンポーネント１１４を検索して位置を割り出す。位置が確定すると、ホーム・ロケーション・レジスタ・コンポーネント１１４は、位置を返すメッセージ３０９をネットワーク・コンポーネント１１０に送る。一例では「位置を返す」が、位置を返すメッセージ３０９を表す。
【００３１】
ネットワーク・コンポーネント１１０は、位置を返すメッセージ３０９を受け取ると、位置を返すメッセージ３０９にある携帯電話１１６の位置情報を用いて、通信装置１０２と携帯電話１１６の間の接続３１０を生成する。ネットワーク・コンポーネント１１０は、この接続３１０を用いて、フリーダイヤル通話２０４を配信する。一例では「通話を終了」が、通信装置１０２と携帯電話１１６との接続３１０を表す。たとえば、接続３１０により、通信装置１０２のユーザ１０４は携帯電話１１６のユーザ１１８とフリーダイヤル通話２０４で通信できる。ネットワーク・コンポーネント１１０は、一例では、フリーダイヤル通話２０４の課金記録３１２を蓄積する。たとえば、携帯電話１１６のユーザ１１８は、課金記録２１４に基づく料金を支払う。一例では「課金中」が、課金記録２１４を表す。
【００３２】
装置１００は、一例では、１つまたは複数の、コンピュータ可読信号を収容する媒体を用いる。装置１００で使用する、コンピュータ可読信号を収容する媒体の例として、ネットワーク・コンポーネント１０６、１０８、および１１０の記録可能データ格納媒体１２０、サービス制御点コンポーネント１１２、ホーム・ロケーション・レジスタ・コンポーネント１１４、および携帯電話１１６がある。たとえば、装置１００で使用する、コンピュータ可読信号を収容する媒体は、磁気、電気、光、生物、原子などによるデータ格納媒体のうちの１つまたは複数を含む。一例では、コンピュータ可読信号を収容する媒体は、装置１００を含むか、装置１００と結合されたネットワーク（たとえば、電話網、ローカル・エリア・ネットワーク（「ＬＡＮ」）、インターネット、および無線ネットワークのうちの１つまたは複数）に送信される変調搬送波信号を含む。
【００３３】
本願明細書で説明した手順や動作は、例示的であるに過ぎない。これらの手順や操作に対する多くの変形形態が、本発明の趣旨を逸脱することなく存在しうる。たとえば、手順の順序を変えて実行したり、手順を増やしたり、減らしたり、修正したりできる。
本願明細書では本発明の例示的な実施態様について詳細に描写および説明してきたが、当業者であれば、本発明の趣旨から逸脱することなく、種々の修正、追加、削除などが可能であることは明らかであろう。したがって、このような修正、追加、削除などは、特許請求の範囲で定義しているように、本発明の範囲に収まるものと見なされる。
【図面の簡単な説明】
【００３４】
【図１】１つまたは複数の通信装置、１つまたは複数の制御コンポーネント、１つまたは複数のサービス制御点コンポーネント、１つまたは複数のホーム・ロケーション・レジスタ・コンポーネント、および１つまたは複数の携帯電話を含む装置の例示的な実施態様を表す図である。
【図２】図１の装置の制御コンポーネントによってフリーダイヤル番号と普通電話番号に関連付けられた携帯電話へのフリーダイヤル通話の例示的な接続を表す図である。
【図３】図１の装置の制御コンポーネントによってフリーダイヤル番号に関連付けられた携帯電話へのフリーダイヤル通話の例示的な接続を表す図である。
【図１】
0004690001.tif 000002
【図２】
0004690001.tif 000003
【図３】
0004690001.tif 000004